(57)【要約】【課題】移動体通信システムの送信機で用いる歪補償回路であって、超伝導フィルタで発生する相互変調歪みを効率よく補償できる歪補償回路を提供する。【解決手段】歪信号生成部１４で、超電導フィルタ１２で発生すると予想される相互変調歪みの逆特性である歪信号を出力し、加算部１３で、入力信号と当該歪信号を合成して超電導フィルタ１２に出力することで、超電導フィルタ１２において発生する相互変調歪みを補償する歪補償回路である。【選択図】　　　　図１
2004032584.tif 000002
【特許請求の範囲】
【請求項１】
通信システムの送信機で用いる歪補償回路であって、送信対象の入力信号のうち、特定の周波数帯域内の信号を出力する超電導フィルタと、前記超電導フィルタにおいて前記入力信号に対して発生する相互変調歪の逆特性を歪信号として出力する歪信号生成部と、
前記超電導フィルタの前段又は後段に接続され、前記超電導フィルタに入力される信号又は前記超電導フィルタから出力される信号と前記歪信号とを合成し、合成結果を出力信号として出力する合成部と、
前記出力信号に含まれる歪成分の電力値に基づいて、前記歪成分を低減させるように前記歪信号生成部に対して前記歪信号の減衰制御及び移相制御を行う歪信号制御部とを有することを特徴とする歪補償回路。
【請求項２】
通信システムの送信機で用いる歪補償回路であって、送信対象の入力信号の出力を増幅する電力増幅器と、
前記電力増幅器から出力された信号のうち、特定の周波数帯域内の信号を出力信号として出力する超電導フィルタと、
前記増幅器に入力される信号に対して減衰制御及び移相制御を行い、前記増幅器及び前記超電導フィルタにおいて前記入力信号に対して発生する歪の逆特性を含ませる減衰／移相制御部と、
前記入力信号の電力値及び前記増幅器及び前記超電導フィルタ周辺の温度に基づいて、前記減衰制御における減衰量及び前記移相制御における移相量を決定して前記減衰／移相制御部に出力し、前記出力信号に含まれる歪成分の電力値に基づいて、前記歪成分を低減させるように前記減衰量及び前記移相量を更新する歪制御部とを有することを特徴とする歪補償回路。
【発明の詳細な説明】
【０００１】
【発明の属する技術分野】
本発明は、超電導フィルタを備えた無線信号の送信機で用いられる歪補償回路に係り、特に超電導フィルタで発生する歪成分を補償する歪補償回路に関する。
【０００２】
【従来の技術】
携帯電話等の移動体通信システムでは、利用者及び通信容量の増大に伴い、周波数資源の有効活用が求められている。このため隣接する周波数からの電波干渉を低減し、所望の周波数の無線信号を高感度に受信できるシステムが要求されている。
この要求を実現する手段の一つとして近年、基地局用のフィルタに超電導フィルタが有望視されている。
【０００３】
超電導フィルタは、誘電体基板上に超電導薄膜を堆積させた構造を有するフィルタであり、低損失で急峻な減衰特性を有することを特徴とするものである。超電導フィルタを用いることによって、容易に超電導薄膜の表面抵抗をゼロに近づけることができ、必要な周波数の電波を効率よく通過させることができる。
【０００４】
また、超電導フィルタにおいて、超電導薄膜の表面抵抗はオームの法則に従わず、二流体モデルで表されることが知られている。当該二流体モデルによれば、超電導体は超電導状態下では、常電導電子及び超電導電子の二種類の伝導電子が存在し、これらの伝導電子の存在確率は温度に依存する。また、超電導体の表面抵抗は、これらの伝導電子における導電率を用いて表わされ、且つ非線形であるため、超電導体は非線形な出力特性を有する。
このため、超電導フィルタにフィルタ帯域内の高周波（正弦波）を入力すると、上記非線形特性に起因して、入力信号の他に３次、５次等の高調波が発生する。
【０００５】
また、移動体通信システムでは、複数の異なる周波数を用いて無線送信を行うことが一般的であるため、超電導フィルタにおける非線形特性に起因して、これらの周波数の間で相互変調が発生する。上記高調波及び上記相互変調の発生により、超電導フィルタの出力は線形特性とはならず、歪成分が含まれた状態で出力されることになる。
【０００６】
図８は超電導フィルタの出力特性を示した説明図である。図８において、超電導フィルタ８１はフィルタ帯域内にある周波数ｆ０、ｆ１の信号を通過させる。また、図中に信号の周波数別のスペクトラム分布を示している。
図８において、超電導フィルタ８１に入力前の信号（図では入力信号）には、周波数ｆ０及びｆ１の信号が含まれているが、超電導フィルタ８１の非線形特性により、超電導フィルタ８１から出力された信号（図では出力信号）には、相互変調により発生した、周波数がそれぞれ２ｆ０−ｆ１、２ｆ１−ｆ０となる３次相互変調歪が含まれる。超電導フィルタからの出力信号には、他にも５次以降の相互変調歪及び高調波による歪が含まれるが、図８のグラフではこれらは省略している。
【０００７】
上述したように、超電導フィルタから直接出力される信号には歪成分が含まれているため、当該信号をこのまま無線通信に用いると、受信時における無線信号の受信特性が劣化する。このため移動体通信システムでは、上記歪成分を補償するための手段を講じる必要がある。
【０００８】
超電導体で発生する歪を補償するための従来の技術として、平成１１年１月１９日公開の特表平１１−５００８７９号「高温超電導体デバイスの電力処理能力を向上させる方法」（出願人：スーパーコンダクター・テクノロジーズ・インコーポレイテッド、発明者：マッタイ，ジョージ・エル他）では、高温超電導材料から形成される中央導体が、二つの誘電体に挟まれており、且つ中央導体のエッジ部分が空気又は真空に面した構成のデバイスとすることで、中央導体における表面抵抗の線型性を向上させる方法が提案されている。
【０００９】
参考として、平成１１年５月３１日公開の特許第２８９８３１７号「磁気共鳴装置」（出願人：コーニンクレッカ　フィリップス　エレクトロニクス　エヌ　ヴィ、発明者：ヨハネス　ヘンドリック　デン　ボエフ）では、超電導マグネットを磁気発生装置として用い、対象物（人体）からの磁気共鳴信号を受信し、対象物における水及び脂肪に起因する共鳴信号の歪みに対して、当該歪に対し反作用する逆歪み関数を決定し、当該関数を用いて共鳴信号を歪ませることにより、共鳴信号の非線形歪みを補償する磁気共鳴装置が提案されている。
【００１０】
【発明が解決しようとする課題】
しかしながら、従来の技術である特表平１１−５００８７９号に記載の方法では、超電導体の線型性を向上するためには、超電導体を含んだデバイスを新たに製作しなければならず、費用及び労力がかかるため、効率よく歪を補償できるものとはなっていない。
【００１１】
本発明は上記実情に鑑みて為されたもので、超電導フィルタで発生する歪成分を効率よく補償できる歪補償回路を提供することを目的とする。
【００１２】
【課題を解決するための手段】
上記従来例の問題点を解決するための本発明は、通信システムの送信機で用いる歪補償回路であって、送信対象の入力信号のうち、特定の周波数帯域内の信号を出力する超電導フィルタと、超電導フィルタにおいて入力信号に対して発生する相互変調歪の逆特性を歪信号として出力する歪信号生成部と、超電導フィルタの前段又は後段に接続され、超電導フィルタに入力される信号又は超電導フィルタから出力される信号と歪信号とを合成し、合成結果を出力信号として出力する合成部と、出力信号に含まれる歪成分の電力値に基づいて、歪成分を低減させるように歪信号生成部に対して歪信号の減衰制御及び移相制御を行う歪信号制御部とを有するものであり、超電導フィルタで発生する相互変調歪を効率よく補償することができる。
【００１３】
また、通信システムの送信機で用いる歪補償回路であって、移動体通信システムの送信機で用いる歪補償回路であって、送信対象の入力信号の出力を増幅する電力増幅器と、電力増幅器から出力された信号のうち、特定の周波数帯域内の信号を出力信号として出力する超電導フィルタと、増幅器に入力される信号に対して減衰制御及び移相制御を行い、増幅器及び超電導フィルタにおいて入力信号に対して発生する歪の逆特性を含ませる減衰／移相制御部と、入力信号の電力値及び増幅器及び超電導フィルタ周辺の温度に基づいて、減衰制御における減衰量及び移相制御における移相量を決定して減衰／移相制御部に出力し、出力信号に含まれる歪成分の電力値に基づいて、歪成分を低減させるように減衰量及び移相量を更新する歪制御部とを有するものであり、増幅器及び超電導フィルタで発生する歪を同時に効率よく補償することができる。
【００１４】
【発明の実施の形態】
本発明の実施の形態について図面を参照しながら説明する。
本発明の実施の形態に係る歪補償回路は、複数種の周波数からなる入力信号を送信する送信機において、入力信号の電力値に基づいて超電導フィルタで発生すると予想される歪信号を生成して、入力信号と逆特性で出力する歪信号生成部を有し、当該超電導フィルタから出力された入力信号と、当該歪信号を合成して、入力信号の歪補償を行うものであり、効率よく容易に超電導フィルタで発生する歪成分を補償できる。
【００１５】
尚、請求項における合成部は図１及び図２の加算部１３に相当し、歪信号制御部は図１及び図２の制御部１５、図３の制御部２５、歪検出回路２８及び電力検出器２９に、減衰／移相制御部は図７の歪生成部３２に、歪制御部は図７の電力検出器３６、Ａ／Ｄ変換器３７、温度センサ３８、Ａ／Ｄ変換器３９、ＡＴＴ制御テーブル記憶回路４０、移相制御テーブル記憶回路４１、Ｄ／Ａ変換器４２及び４３、歪補償テーブル更新制御回路４４及び歪検出回路４５にそれぞれ相当する。
【００１６】
以下、本発明の実施の形態に係る歪補償回路について、実施例毎に説明する。
まず、本発明の第１の実施の形態の検波回路の構成について、図１を用いて説明する。図１は、本発明の第１の実施の形態に係る歪補償回路（以下、第１の歪補償回路）の構成ブロック図である。また、図１における（ａ）〜（ｄ）は、入力信号の周波数別のスペクトラム分布を示している。
第１の歪補償回路は、超電導フィルタ１１と、歪信号生成部１２と、制御部１３と、遅延部１４と、加算部１５とから構成される。また、第１の歪補償回路において、遅延部１１から加算部１３までの一連の経路を本線系、歪信号生成部１４を含む経路を制御系と称する。
【００１７】
まず、第１の歪補償回路の各部の構成について説明する。
遅延部１１は、送信の対象である、複数種の周波数からなるアナログ信号（以下、入力信号）を一定時間遅延させて、超電導フィルタ１２に出力する。遅延部１１は、本線系と制御系における入力信号の処理の時間差を解消し、加算部１３への入力信号及び歪信号の入力同期を図るために設けられている。
【００１８】
超電導フィルタ１２は、導体が超電導材料で形成されたフィルタであり、遅延部１１から出力される入力信号のうち、帯域幅にある周波数の信号のみを通過させて、加算部１３に出力する。
【００１９】
加算部１３は、超電導フィルタ１２から出力される帯域制限後の入力信号と、歪信号生成部１４で生成、出力される歪信号とを合成して、出力信号として出力する。
【００２０】
歪信号生成部１４は、遅延部１１に入力される入力信号及び制御部１５から出力される制御信号に基づいて、超電導フィルタ１２で発生すると予想される相互変調による歪成分の逆特性を生成し、歪信号として加算部１３に出力する。
歪信号生成部１４は、非線形素子を用いて歪信号を発生させるものであり、基本波成分は歪成分に対し十分減衰されて出力される。
【００２１】
制御部１５は、送信制御部（図示せず）から出力される無線送信に用いるキャリア周波数の情報等の制御情報、温度センサ（図示せず）から出力される超電導フィルタ１２の周辺温度等の周辺環境情報又はフィードバックされた出力信号に基づいて、歪信号の振幅及び位相の制御に関する制御信号を歪信号生成部１４に出力する。
【００２２】
次に、第１の歪補償回路の動作について、図１を用いて説明する。尚、第１の歪補償回路では、入力信号は周波数ｆ０及びｆ１の周波数の信号を含んでおり、超電導フィルタ１２の帯域幅には上記周波数が含まれるものとする。
複数種の周波数からなる入力信号は、第１の歪補償回路において、まず遅延部１１及び歪信号生成部１４に出力される。このときの入力信号のスペクトラム分布は、図１（ａ）の通りに示される。
【００２３】
遅延部１１に出力された入力信号は、一定時間遅延された後、超電導フィルタ１２に出力され、帯域制限がかけられて加算部１３に出力される。従来の技術で説明したように、超電導フィルタ１２から出力される信号には、高調波及び相互変調による歪が含まれる。一般に送信機における入力信号はレベルが低いため、高調波による歪は問題とならないほど小さい。
【００２４】
超電導フィルタ１２から出力される、相互変調を受けた入力信号のスペクトラム分布は、図１（ｂ）の通りに示される。図１（ｂ）に示すように、相互変調を受けた入力信号には、周波数ｆ０及びｆ１の他に、周波数２ｆ０−ｆ１、２ｆ１−ｆ０の３次相互変調歪が含まれることが分かる。尚、超電導フィルタ１２から出力された入力信号には、３次相互変調歪の他、５次以降の相互変調歪が含まれるが、図１（ｂ）ではこれらは省略している。
【００２５】
また、歪信号生成部１４は、遅延部１１の前段で分岐して入力された入力信号と、制御部１５から出力される制御信号とに基づいて、超電導フィルタ１２で発生する相互変調による歪成分を生成し、歪信号として加算部１５に出力する。歪信号生成部１４から出力される、歪信号のスペクトラム分布は、図１（ｃ）に示す通りとなる。
歪信号の生成にあたり、歪信号生成部１４は、非線形素子を用いて歪信号を発生する。
【００２６】
制御部１５は、送信制御部から出力される無線送信に用いるキャリア周波数の情報等の制御情報や、温度センサから出力される超電導フィルタ１２の周辺温度等の周辺環境情報が入力されると、これらの因子による歪の変動に対応するよう、歪信号の振幅及び位相を制御させる旨の制御信号を、歪信号生成部１４に出力する。
【００２７】
さらに、制御部１５には、加算部１３から出力された出力信号がフィードバックして入力される。制御部１５は、出力信号に含まれる歪成分を検出し、当該歪成分が最小となるように、歪信号の振幅及び位相を制御させる旨の制御信号を、歪信号生成部１４に出力する。歪信号生成部１４は、制御部１５から出力される制御信号に基づいて、歪信号の振幅及び位相の制御を行う。
制御部１５は、制御情報、周辺環境情報又は歪成分の検出結果と制御する振幅量及び移相量の条件を関連付けて記憶したテーブルを用意し、当該テーブルから対応する条件を読み出して、制御信号に反映させるようにしてもよい。
【００２８】
加算部１３は、超電導フィルタ１２によって帯域制限された入力信号及び歪信号生成部１４から出力された歪信号を合成し、出力信号として出力する。加算部１３では、歪の含まれた入力信号と、入力信号と歪成分の逆特性を示す歪信号とが合成されることで、入力信号中の歪が相殺される。出力信号のスペクトラム分布は、図１（ｄ）の通りに示され、３次相互変調歪が補償されたことが確認できる。以上が第１の歪補償回路の動作である。
【００２９】
第１の歪補償回路は、超電導フィルタ１２によって入力信号に帯域制限がかけられた後に、歪信号生成部１４から出力された歪信号を合成することで、超電導フィルタ１２から出力された、歪成分を含む入力信号の歪補償を実現できる。
このような構成としたことで、第１の歪補償回路は、超電導フィルタ１２の構成を変更することなく、歪補償を行うことができ、効率よく容易に超電導フィルタで発生する歪を補償できる。
【００３０】
また第１の歪補償回路は、出力信号に歪成分が含まれている場合にも、当該歪成分を最小とするように歪信号を調整して出力することができるため、温度の変動や経年劣化等による通信環境の変動に対しても柔軟に歪補償を行うことができる。
【００３１】
次に、本発明の第２の実施の形態に係る歪補償回路（以下、第２の歪補償回路）について、図２を用いて説明する。図２は、第２の歪補償回路の構成ブロック図である。尚、図１の歪補償回路と同一の構成である部分については、同一の符号を付して説明する。
第２の歪補償回路は、第１の歪補償回路における加算部１３を超電導フィルタ１２の前段に設置したものである。すなわち、図２の歪補償回路は、超電導フィルタ１２において帯域制限がかけられる前に、前もって入力信号に対して歪信号を合成することで、超電導フィルタ１２から歪成分のない出力信号を得ようとするものである。
【００３２】
第２の歪補償回路のように、超電導フィルタ１２への出力前に入力信号に歪信号を合成しても、図２（ｄ）に示されるような、歪成分の含まれない出力信号を得ることができる。また、第２の歪補償回路は、入力信号の周波数又は超電導フィルタ１２周辺の温度に変動が発生しても、第１の歪補償回路と同様、制御部１５からの制御信号によって、歪信号生成部１４は変動に対応して歪信号を調整して出力することができる。
よって第２の歪補償回路は、第１の歪補償回路と同一の効果を奏するものである。
【００３３】
以下、超電導フィルタのＡＭ−ＡＭ変換及びＡＭ−ＰＭ変換に起因する歪みを補償できる歪補償回路である、本発明の第３の実施の形態に係る歪補償回路（以下、第３の歪補償回路）について説明する。
第３の歪補償回路の構成について、図３〜図６を用いて説明する。図３は、第３の歪補償回路の構成ブロック図であり、図４は、歪信号生成部２４の構成ブロック図であり、図５は、制御部２５の構成ブロック図であり、図６は、歪検出回路２８の構成ブロック図である。第３の歪補償回路の基本的な構成は、第１の歪補償回路と同様であるが、制御部２５は入力信号の電力値に基づいて、歪信号生成部２４で生成される歪信号の減衰制御及び移相制御を行う点が第１の歪補償回路と異なっている。
【００３４】
第３の歪補償回路は、図３に示すように、遅延部２１と、超電導フィルタ２２と、合成器２３と、歪信号生成部２４と、制御部２５と、分配器２６と、電力検出器２９と、歪検出回路２８と、分配器２７とから構成される。また、第３の歪補償回路において、遅延部２１から合成器２３までの一連の経路を本線系、それ以外の構成を含む経路を制御系と称する。
【００３５】
また、歪信号生成部２４は、図４に示すように、３次歪発生器２４１と、可変減衰器２４２と、移相器２４３と、増幅器２４４とから構成されている。
また、制御部２５は、図５に示すように、Ａ／Ｄ変換器２５１−１及び２５１−２と、テーブル更新制御部２５２と、ＡＴＴ（ＡＴＴｅｎｕａｔｏｒ）制御テーブル記憶回路２５３と、移相制御テーブル記憶回路２５４と、Ｄ／Ａ変換器２５５−１及び２５５−２とから構成されている。
また、歪検出回路２８は、図６に示すように、ミキサ２８１と、帯域フィルタ２８２と、包絡線検波器２８３と、中心周波数発振器２８４とから構成されている。
【００３６】
次に、第３の歪補償回路の各部の構成について説明する。
遅延部２１は、分配器２６から出力された入力信号を一定時間遅延させて、超電導フィルタ２２に出力する。遅延部２１は、本線系と制御系における入力信号の処理の時間差を解消し、合成器２３への入力信号及び歪信号の入力同期を図るために設けられている。
【００３７】
超電導フィルタ２２は、導体が超電導材料で形成されたフィルタであり、遅延部２１から出力される入力信号のうち、帯域幅にある周波数の信号のみを通過させて、合成器２３に出力する。
【００３８】
合成器２３は、第１の歪補償回路における加算部１３に相当し、超電導フィルタ２２から出力される帯域制限後の入力信号と、歪信号生成部２４で生成、出力される減衰制御及び位相制御済みの３次相互変調歪信号とを合成して、出力信号として出力する。
【００３９】
歪信号生成部２４は、分配器２６から出力される入力信号に基づいて、超電導フィルタ１２で発生すると予想される３次相互変調による歪成分の逆特性を生成し、３次相互変調歪信号として合成器２３に出力する。
また歪信号生成部２４は、制御部２５から出力される減衰制御信号又は移相制御信号に基づいて、３次相互変調歪信号の減衰制御及び移相制御を行う。
【００４０】
制御部２５は、電力検出器２９から出力された入力信号の電力値に基づいて、歪信号生成部２４で生成、出力される歪信号の減衰量及び移相（位相変動）量を決定し、これらの量に対応した減衰制御信号及び移相制御信号を歪信号生成部２４に出力する。
また、制御部２５は、入力信号の電力値及び歪検出回路２８から出力された出力信号の歪成分の電力値に基づいて、歪信号の減衰量及び移相量を更新する。
【００４１】
分配器２６は、入力信号を遅延部２１及び電力検出器２９とに分配して出力する。
電力検出器２９は、分配器２６から出力された入力信号の電力値を包絡線検波によって検出し、検出結果である電力値のアナログデータを制御部２５に出力する。
歪検出回路２８は、分配器２７から出力された出力信号から、出力信号に含まれる歪成分の電力値を、包絡線検波によって検出し、検出結果を制御部２５に出力する。
分配器２７は、合成器２３から出力された出力信号を、歪検出回路２８及び第３の歪補償回路の出力端子に出力する。
【００４２】
図４の歪信号生成部２４において、３次歪発生器２４１は、分配器２６から出力される入力信号に基づいて、超電導フィルタ２２で発生する３次相互変調歪信号を生成、出力する。
３次歪発生器２４１は、非線形素子により３次相互変調歪信号を発生させるものであり、基本波成分は歪成分に対し十分減衰されて出力される。
【００４３】
可変減衰器２４２は、制御部２５から出力される減衰制御信号に基づいて、３次歪発生器２４１から出力される３次相互変調歪信号の減衰制御を行う。可変減衰器２４２は、減衰制御を行うことによって、３次相互変調歪信号の振幅を、対応する超電導フィルタ２２の３次相互変調歪みの逆特性に合わせる。
【００４４】
移相器２４３は、制御部２５から出力される移相制御信号に基づいて、３次歪発生器２４１から出力される３次相互変調歪信号の移相制御を行う。移相器２４３は、移相制御を行うことによって、３次相互変調歪信号の位相を、対応する超電導フィルタ２２の３次相互変調歪みの逆特性に合わせる。
【００４５】
増幅器２４４は、可変減衰器２４２及び移相器２４３において減衰制御及び移相制御が行われた３次相互変調歪信号を、入力信号に含まれる歪成分と同レベルとなるよう増幅して、合成器２３へ出力する。
【００４６】
図５の制御部２５において、Ａ／Ｄ変換器２５１−１は、電力検出器２９から出力されたアナログデータである入力信号の電力値をデジタル変換し、テーブル更新制御部２５２、ＡＴＴ制御テーブル記憶回路２５３及び移相制御テーブル記憶回路２５４に出力する。
Ａ／Ｄ変換器２５１−２は、歪検出回路から出力された歪成分の電力値をデジタル変換し、テーブル更新制御部２５２及びＡＴＴ制御テーブル記憶回路２５３に出力する。
【００４７】
テーブル更新制御部２５２は、Ａ／Ｄ変換器２５１−１、２５１−２から出力される入力信号の電力値及び歪成分の電力値に基づいて、ＡＴＴ制御テーブル記憶回路２５３及び移相制御テーブル記憶回路２５４に対し、各記憶回路で格納されているテーブルの内容を更新する旨の制御信号を出力する。このような制御を行うことで、第３の歪補償回路は、温度変化や経年劣化による超電導フィルタ２２の出力特性の変化に対応して、歪補償を精度よく行うことができる。
【００４８】
ＡＴＴ制御テーブル記憶回路２５３には、入力信号の電力値と、歪信号の減衰量とが対応付けられて記憶されたテーブルが格納されている。ＡＴＴ制御テーブル記憶回路２５３は、Ａ／Ｄ変換器２５１−１から出力される入力信号の電力値に基づいて、当該テーブルから対応する歪信号の減衰量を読み出して、当該減衰量だけ減衰させる旨の減衰制御信号をＤ／Ａ変換器２５５−１に出力する。
また、ＡＴＴ制御テーブル記憶回路２５３は、テーブル更新制御部２５２から出力されるテーブルの内容を更新する旨の制御信号に基づいて、テーブルに記憶されている減衰量のデータを変更する。
【００４９】
移相制御テーブル記憶回路２５４には、入力信号の電力値と、歪信号の移相量とが対応付けられて記憶されたテーブルが格納されている。移相制御テーブル記憶回路２５４は、Ａ／Ｄ変換器２５１−１から出力された入力信号の電力値に基づいて、当該テーブルから対応する歪信号の移相量を読み出して、当該移相量だけ移相制御を行わせる旨の移相制御信号をＤ／Ａ変換器２５５−１に出力する。
また、移相制御テーブル記憶回路２５４は、テーブル更新制御部２５２から出力されるテーブルの内容を更新する旨の制御信号に基づいて、テーブルに記憶されている移相量のデータを変更する。
【００５０】
Ｄ／Ａ変換器２５５−１は、ＡＴＴ制御テーブル記憶回路２５３から出力された減衰制御信号をアナログ変換し、歪信号生成部２４に出力する。
Ｄ／Ａ変換器２５５−２は、移相制御テーブル記憶回路２５４から出力された移相制御信号をアナログ変換し、歪信号生成部２４に出力する。
【００５１】
図６の歪検出回路２８において、ミキサ２８１は、分配器２７から出力される出力信号と、中心周波数発振器２８４から出力される入力信号の必要帯域の中心周波数（以下、中心周波数）とを混合し、混合結果を帯域フィルタ２８２に出力する。
【００５２】
帯域フィルタ２８２は、ミキサ２８１から出力された、中心周波数が混合された出力信号に対し、中心周波数の帯域外の周波数信号についてのみ通過させて、包絡線検波器２８５に出力する。すなわち帯域フィルタ２８２は、出力信号のうち、送信に用いられる帯域の周波数信号を除いて、歪成分のみを通過させるものである。
【００５３】
包絡線検波器２８３は、帯域フィルタ２８２から出力される、出力信号における歪成分の包絡線検波を行ってアナログデータである歪成分の電力値を検出し、検出結果を制御部２５へ出力する。
中心周波数発振器２８４は、ミキサ２８１に対し、中心周波数の信号を出力する。
【００５４】
次に、第３の歪補償回路の動作について、図３〜図６を用いて説明する。
図３において、複数種の周波数からなる入力信号は、第３の歪補償回路において、まず分配器２６に入力され、さらに遅延部２１、歪信号生成部２４及び電力検出器２９とに分配されて出力される。
【００５５】
分配器２６から遅延部２１に出力された入力信号は、一定時間遅延された後、超電導フィルタ１２に出力され、帯域制限がかけられて合成部２３に出力される。超電導フィルタ１２から出力される信号には、相互変調による歪みが含まれる。一般に送信機における入力信号はレベルが低いため、高調波による歪は問題とならないほど小さい。
【００５６】
図４の歪信号生成部１４において、分配器２６から出力された入力信号は、まず３次歪発振器２４１に入力される。３次歪発振器２４１は、入力信号の電力値に基づいて、超電導フィルタ２２で発生すると予想される３次相互変調歪信号を生成、出力する。
３次相互変調歪信号の生成にあたり、３次歪発生器２４１は、非線形素子により３次相互変調歪信号を発生する。
【００５７】
可変減衰器２４２は、制御部２５から出力された減衰制御信号に基づいて、３次相互変調歪信号に対して減衰制御を行う。可変減衰器２４２は、減衰制御信号に含まれる減衰量だけ、３次相互変調歪信号の減衰を行う。可変減衰器２４２による減衰制御によって、３次相互変調歪信号の振幅を、対応する超電導フィルタ２２の３次相互変調歪みの逆特性に合わせる。
【００５８】
また、移相器２４３は、制御部２５から出力された移相制御信号に基づいて、３次相互変調歪信号に対して移相制御を行う。移相器２４２は、移相制御信号に含まれる移相量だけ、３次相互変調歪信号の移相を行う。移相器２４２による移相制御によって、３次相互変調歪信号の位相を、対応する超電導フィルタ２２の３次相互変調歪みの逆特性に合わせる。
制御部２５における制御信号の出力方法については、後述する。
【００５９】
減衰制御及び移相制御が行われた３次相互変調歪信号は、増幅器２４４において入力信号に含まれる歪成分と同レベルとなるよう増幅された後、合成器２３に出力される。
【００６０】
図３において、合成器２３は、超電導フィルタ２２によって帯域制限された入力信号及び歪信号生成部２４から出力された３次相互変調歪信号を合成し、出力信号として分配器２７に出力する。加算部１３では、歪の含まれた入力信号と、入力信号と逆特性で出力された３次相互変調歪信号とが合成されることで、入力信号中の歪が相殺され、３次相互変調歪みが補償される。
【００６１】
次に、第３の歪補償回路における、制御部２５の動作について説明する。まず、減衰制御信号及び移相制御信号の出力動作について説明する。
分配器２６から出力された入力信号は、電力検出器２９において包絡線検波が行われることで、電力値が検出される。電力検出器２９は、検出結果である電力値のアナログデータを、制御部２５に出力する。
【００６２】
図５の制御部２５において、入力信号の電力値のアナログデータは、まずＡ／Ｄ変換器２５１−１に入力される。Ａ／Ｄ変換器２５１−１では、電力値はデジタルデータに変換され、テーブル更新制御部２５２、ＡＴＴ制御テーブル記憶回路２５３及び移相制御テーブル記憶回路２５４に出力される。
【００６３】
ＡＴＴ制御テーブル記憶回路２５３は、デジタルデータの電力値が入力されると、自己に格納されているテーブルから当該電力値に対応する減衰量を読み出し、当該減衰量だけ減衰する旨の減衰制御信号をＤ／Ａ変換器２５５−１に出力する。
Ｄ／Ａ変換器２５５−１は、減衰制御信号をアナログ変換して、歪信号生成部２４の可変減衰器２４２に出力する。
【００６４】
移相制御テーブル記憶回路２５４は、デジタルデータの電力値が入力されると、自己に格納されているテーブルから当該電力値に対応する移相量を読み出し、当該移相量だけ移相制御を行う旨の移相制御信号をＤ／Ａ変換器２５５−２に出力する。
Ｄ／Ａ変換器２５５−２は、移相制御信号をアナログ変換して、歪信号生成部２４の移相器２４３に出力する。
【００６５】
制御部２５において、ＡＴＴ制御テーブル記憶回路２５３は、電力値に対応する減衰量を読み出し、減衰制御信号として出力することで、３次相互変調歪信号の振幅を、対応する超電導フィルタ２２の３次相互変調歪みの逆特性に合わせることができる。また、移相制御テーブル記憶回路２５４は、電力値に対応する移相量を読み出し、移相制御信号として出力することで、３次相互変調歪信号の位相を、対応する超電導フィルタ２２の３次相互変調歪みの逆特性に合わせることができる。これにより、第３の歪補償回路は、３次相互変調歪みを補償することができる。
【００６６】
次に、減衰量及び移相量の更新動作について説明する。
図３において、合成器２３で合成され、歪の補償された出力信号は、分配器２７に出力される。分配器２７は、出力信号を歪検出回路２８及び第３の歪補償回路の出力端子に分配して出力する。
図６の歪検出回路２８において、出力信号は、まずミキサ２８１に入力される。ミキサ２８１は、出力信号と、中心周波数発振器２８４から出力される中心周波数信号とを混合し、帯域フィルタ２８２に出力する。中心周波数信号は、入力信号の必要帯域の中心となる周波数の信号であるため、ミキサ２８によって出力信号は、中心周波数が増幅される。
【００６７】
ミキサ２８１から出力された出力信号は、帯域フィルタ２８２において、中心周波数の帯域外の周波数、すなわち歪成分のみが通過され、包絡線検波器２８３によってアナログデータである歪成分の電力値が検出される。
包絡線検波器２８３において検出された歪成分の電力値は、制御部２５に出力される。
【００６８】
図５の制御部において、歪成分の電力値は、まずＡ／Ｄ変換器２５１−２に入力される。Ａ／Ｄ変換器２５１−２では、電力値はデジタルデータに変換され、テーブル更新制御部２５２に出力される。
テーブル更新制御部２５２は、歪成分の電力値と、Ａ／Ｄ変換器２５１−１から出力された、入力信号の電力値とを参照する。歪成分の電力値が規定値以上であるような場合、テーブル更新制御部２５２は、当該歪成分の電力値が最小となるよう、ＡＴＴ制御テーブル記憶回路２５３のテーブルに記憶されている減衰量と、移相制御テーブル記憶回路２５４のテーブルに記憶されている移相量の値を更新することで、テーブルの更新を行う。
【００６９】
減衰量及び移相量の更新にあたり、テーブル更新制御部２５２では、予め減衰量又は移相量をパラメータとして持ち、且つ評価値が歪み成分の電力値であるような評価関数を記憶しておく。
更新方法として、テーブル更新制御部２５２は、入力信号の電力値を参照し、当該電力値に基づいて、ＡＴＴ制御テーブル記憶回路２５３のテーブルから対応する減衰量を、移相制御テーブル記憶回路２５４のテーブルから対応する移相量を読み出す。そして読み出した減衰量又は移相量をパラメータの初期値として、パラメータの修正及び評価値の評価を繰り返し行って、評価値が最小となるような減衰量及び移相量を求める。
評価値が最小となるようなパラメータの値の算出方法として、テーブル更新制御部２５２は、最急降下法又はＬＭＳ（Ｌｅａｓｔ　Ｍｅａｎ　Ｓｑｕａｒｅ）法等の適応アルゴリズムを用いてもよい。
【００７０】
最後にテーブル更新制御部２５２は、読み出しを行った減衰量を求められた減衰量に変更する旨の制御信号を、ＡＴＴ制御テーブル記憶回路２５３に出力し、テーブルへの書き込みを行わせ、読み出しを行った移相量を求められた移相量に変更する旨の制御信号を、移相制御テーブル記憶回路２５４に出力し、テーブルへの書き込みを行わせる。
【００７１】
テーブルの更新が行われると、制御部２５は以後、更新されたテーブルを用いて、入力信号の電力値に基づいて、減衰量及び移相量の決定及び制御信号の出力を行う。
上述したテーブルの更新制御を行うことで、第３の歪補償回路は、温度変化や経年劣化等が原因で超電導フィルタ２２の出力特性の変化し、歪が発生した場合でも、減衰量及び移相量を調整して更新することにより、当該出力特性の変化に柔軟に対応して、歪補償を精度よく行うことができる。
【００７２】
第３の歪補償回路において、歪信号生成部２４の３次歪発生器２４１は、３次相互変調歪だけでなく、より高次（５次、７次等）の相互変調歪の実測値を入力信号の電力値と関連付けてテーブルに記憶させ、入力信号の電力値に対応した高次の相互変調の実測値を読み出させて、歪信号を出力させるようにしてもよく、可変減衰器２４２及び移相器２４３は、高次の相互変調歪信号に対する減衰量及び移相量を調整させるようにしてもよい。
【００７３】
また、制御部２５は、高次の相互変調歪信号に対応した減衰量及び移相量の決定にあたり、高次の相互変調歪信号に対応した減衰量及び移相量をＡＴＴ制御テーブル記憶回路２５３や移相制御テーブル記憶回路２５４にそれぞれ記憶させ、対応するものを読み出すようにしてもよく、又は既存の減衰量及び移相量に基づいて、最急降下法或いはＬＭＳ法によって、評価関数を用いた歪の評価を行いながら最適な減衰量及び移相量を決定するようにしてもよい。
【００７４】
また、第３の歪補償回路において、超電導フィルタ２２を合成器２３の後段に設置し、超電導フィルタ２２において帯域制限がかけられる前に、前もって入力信号に対して３次相互変調歪信号を合成するようにしてもよい。
【００７５】
第３の歪補償回路は、制御部２５において、入力信号の電力値に基づいて、当該電力値に対応する減衰量及び移相量とを決定し、当該減衰量及び移相量だけ制御させる旨の制御信号を出力し、歪信号生成部２４において３次相互変調歪信号に対し、制御信号に基づいて当該減衰量及び移相量の調整を行った後に、超電導フィルタ２２によって帯域制限のかけられた入力信号と合成することで、超電導フィルタ２２による３次相互変調歪みを含む入力信号の歪補償を実現できる。
【００７６】
ここで、半導体デバイスの非線形特性を特徴付けるものであるＡＭ（Ａｍｐｌｉｔｕｄｅ　Ｍｏｄｕｌａｔｉｏｎ）−ＡＭ変換及びＡＭ−ＰＭ（Ｐｈａｓｅ　Ｍｏｄｕｌａｔｉｏｎ）変換について図９を用いて説明する。図９は、非線形特性を有する増幅器の入出力特性の説明図である。図９において、左側の縦軸は増幅器から出力される信号の振幅を、右側の縦軸は増幅器から出力される信号の位相を示している。
例えば通常の増幅器は、飽和出力レベルと呼ばれる出力レベルを超えることはなく、出力信号の振幅（以下、出力振幅）が増大するに従って、図９（ａ）に示すように、出力特性はカーブを描くようになり、図９（ｂ）の直線で示される理想特性からのずれが大きくなる現象が生じる。このような出力振幅の飽和特性はＡＭ−ＡＭ変換と呼ばれる。
【００７７】
また、入力信号の振幅（以下、入力振幅）によって、出力信号の位相（以下、出力位相）も変化し、図９（ｃ）に示すように、出力振幅が増大するに従って出力位相が回転する現象も生じる。このような特性はＡＭ−ＰＭ変換と呼ばれる。
ＡＭ−ＡＭ変換及びＡＭ−ＰＭ変換は、増幅器、発振器等のような、大電力の信号を扱うマイクロ波半導体回路に用いる半導体デバイスを評価するパラメータとして従来より用いられている。
【００７８】
また、ＡＭ−ＡＭ変換及びＡＭ−ＰＭ変換は、半導体デバイスの非線形特性を表すものであり、このような特性が原因となって、送信帯域外への電力の漏れや、送信スペクトルの劣化を招き、通信信号に歪みが発生することとなる。
移動体通信システムの送信機では大電力の無線信号を扱うため、当該送信機で超電導フィルタを用いる場合には、超電導フィルタのＡＭ−ＡＭ変換及びＡＭ−ＰＭ変換を考慮して、これらの特性に起因する歪みを補償する必要がある。
また、移動体通信システムの送信機では、大電力の無線信号を扱うため、出力の大きい増幅器を回路内に設けることが一般的である。したがって、送信機で用いる歪補償回路は、増幅器で発生する歪についても同時に補償できるようにすることも考慮しなければならない。
【００７９】
次に、本発明の第４の実施の形態に係る歪補償回路（以下、第４の歪補償回路）について、図７を用いて説明する。図７は、第４の歪補償回路の構成ブロック図である。
第４の歪補償回路は、増幅器及び超電導フィルタの通過前に入力信号に対して振幅制御及び移相制御を行うことによって、増幅器及び超電導フィルタで発生するＡＭ−ＡＭ変換による振幅歪み及びＡＭ−ＰＭ変換による位相歪みを補償するものである。
【００８０】
第４の歪補償回路は、遅延部３１と、歪生成部３２と、増幅器（図ではＰＡ（Ｐｏｗｅｒ　Ａｍｐｌｉｆｉｅｒ））３３と、超電導フィルタ３４と、分配器３５と、電力検出器３６と、Ａ／Ｄ変換器３７と、温度センサ３８と、Ａ／Ｄ変換器３９と、ＡＴＴ制御テーブル記憶回路４０と、移相制御テーブル記憶回路４１と、Ｄ／Ａ変換器４２及び４３と、歪補償テーブル更新制御回路４４と、歪検出回路４５とから構成される。また、歪生成部３２は、可変減衰器（図ではＡＴＴ）３２１と、移相器３２２とから構成されている。また、第４の歪補償回路において、遅延部３１から超電導フィルタ３４までの一連の経路を本線系、これ以外の構成を含む経路を制御系と称する。
【００８１】
次に、第４の歪補償回路の各部の構成について説明する。
遅延部３１は、入力信号を一定時間遅延させて、歪生成部３２に出力する。遅延部３１は、本線系と制御系における入力信号の処理の時間差を解消するために設けられている。
【００８２】
歪生成部３２は、遅延部３１から出力される入力信号に対し、ＡＴＴ制御テーブル記憶回路４０から出力される減衰制御信号に基づいて減衰制御を行い、移相制御テーブル記憶回路４１から出力される移相制御信号に基づいて移相制御を行って、増幅器３３に出力する。
歪生成部３２は、減衰制御によって、ＰＡ３３及び超電導フィルタ３４のＡＭ−ＡＭ特性による振幅歪みの逆特性を、移相制御によって、ＰＡ３３及び超電導フィルタ３４のＡＭ−ＰＭ特性による位相歪みの逆特性を入力信号に与える。
【００８３】
増幅器３３は、電力増幅器であり、歪生成部３２から出力される、減衰制御及び位相制御済みの入力信号を増幅し、増幅した入力信号を超電導フィルタ３４に出力する。
超電導フィルタ３４は、導体が超電導材料で形成されたフィルタであり、増幅器３３から出力される入力信号のうち、帯域幅にある周波数の信号のみを通過させて、分配器３５に出力する。
【００８４】
電力検出器３６は、分配された入力信号の電力値を包絡線検波によって検出し、検出結果である電力値のアナログデータをＡ／Ｄ変換器３７に出力する。
Ａ／Ｄ変換器３７は、電力検出器３６から出力されたアナログデータである入力信号の電力値をデジタル変換し、歪補償テーブル更新制御回路４４、ＡＴＴ制御テーブル記憶回路４０及び移相制御テーブル記憶回路４１に出力する。
【００８５】
温度センサ３８は、増幅器３８及び超電導フィルタ３４周辺の温度を計測し、計測結果である温度データをアナログデータとしてＡ／Ｄ変換器３９に出力する。
Ａ／Ｄ変換器３９は、温度センサ３８から出力されたアナログデータである温度データをデジタル変換し、歪補償テーブル更新制御回路４４、ＡＴＴ制御テーブル記憶回路４０及び移相制御テーブル記憶回路４１に出力する。
【００８６】
ＡＴＴ制御テーブル記憶回路４０には、入力信号の電力値と、増幅器３３及び超電導フィルタ３４の周囲の温度と、入力信号の減衰量とが対応付けられて記憶されたテーブルが格納されている。テーブルに格納されている減衰量は、増幅器３３及び超電導フィルタ３４のＡＭ−ＡＭ変換による振幅歪みを補償するためのものである。
ＡＴＴ制御テーブル記憶回路４０は、Ａ／Ｄ変換器３７から出力される入力信号の電力値と、Ａ／Ｄ変換器３９から出力される、増幅器３３及び超電導フィルタ３４の周囲の温度データに基づいて、当該テーブルから対応する歪信号の減衰量を読み出して、当該減衰量だけ減衰する旨の減衰制御信号をＤ／Ａ変換器４２に出力する。
また、ＡＴＴ制御テーブル記憶回路４０は、歪補償テーブル更新制御回路４４から出力されるテーブルの内容を更新する旨の制御信号に基づいて、テーブルに記憶されている減衰量のデータを変更する。
【００８７】
移相制御テーブル記憶回路４１には、入力信号の電力値と、増幅器３３及び超電導フィルタ３４の周囲の温度と、入力信号の移相量とが対応付けられて記憶されたテーブルが格納されている。テーブルに格納されている移相量は、増幅器３３及び超電導フィルタ３４のＡＭ−ＰＭ変換による位相歪みを補償するためのものである。
移相制御テーブル記憶回路４１は、Ａ／Ｄ変換器３７から出力された入力信号の電力値と、Ａ／Ｄ変換器３９から出力される、増幅器３３及び超電導フィルタ３４の周囲の温度データに基づいて、当該テーブルから対応する歪信号の移相量を読み出して、当該移相量だけ移相制御を行う旨の移相制御信号をＤ／Ａ変換器４３に出力する。
また、移相制御テーブル記憶回路４１は、歪補償テーブル更新制御部４４から出力されるテーブルの内容を更新する旨の制御信号に基づいて、テーブルに記憶されている移相量のデータを変更する。
【００８８】
Ｄ／Ａ変換器４２は、ＡＴＴ制御テーブル記憶回路４２から出力された減衰制御信号をアナログ変換し、歪生成部３２に出力する。
Ｄ／Ａ変換器４３は、移相制御テーブル記憶回路２５４から出力された移相制御信号をアナログ変換し、歪生成部３２に出力する。
【００８９】
歪補償テーブル更新制御部４４は、Ａ／Ｄ変換器３７から出力される入力信号の電力値、Ａ／Ｄ変換器３９から出力される、増幅器３３及び超電導フィルタ３４の周囲の温度データ及び歪検出回路４５から出力される歪成分の電力値に基づいて、ＡＴＴ制御テーブル記憶回路４０及び移相制御テーブル記憶回路４１に対し、各記憶回路で格納されているテーブルの内容を更新する旨の制御信号を出力する。このような制御を行うことで、第４の歪補償回路は、温度変化又は経年劣化による超電導フィルタ２２の出力特性の変化に対応して、歪補償を精度よく行うことができる。
【００９０】
歪検出回路４５は、分配器３５から出力された出力信号から、出力信号に含まれる歪成分の電力値を、包絡線検波によって検出し、検出結果をデジタルデータに変換して歪補償テーブル更新制御回路４４に出力する。歪検出回路４５の構成は、第３の歪補償回路における歪検出回路２８の構成に加えて、検出結果をデジタルデータに変換するためのＤ／Ａ変換器を設けたものである。
【００９１】
歪生成部３２において、可変減衰器３２１は、Ｄ／Ａ変換器４２から出力される減衰制御信号に基づいて、入力信号の減衰制御を行う。可変減衰器３２１は、減衰制御を行うことによって、増幅器３３及び超電導フィルタ３４のＡＭ−ＡＭ変換による振幅歪みの逆特性を入力信号に与える。
【００９２】
移相器３２２は、Ｄ／Ａ変換器４３から出力される移相制御信号に基づいて、入力信号の移相制御を行う。移相器３２２は、移相制御を行うことによって、増幅器３３及び超電導フィルタ３４のＡＭ−ＰＭ変換による位相歪みの逆特性を入力信号に与える。
【００９３】
次に、第４の歪補償回路の動作について、図７を用いて説明する。
図７において、無線周波数の入力信号は、第４の歪補償回路において、まず遅延部３１及び電力検出器３６とに分配されて出力される。
遅延部３１に分配された入力信号は、一定時間遅延された後、歪生成部３２に出力される。
【００９４】
歪生成部３２において、可変減衰器３２１は、Ｄ／Ａ変換器４２を介してＡＴＴ制御テーブル記憶回路４０から出力された減衰制御信号に基づいて、入力信号に対して減衰制御を行う。可変減衰器２４２は、減衰制御信号に含まれる減衰量だけ、入力信号の減衰を行う。可変減衰器２４２による減衰制御によって、増幅器３３及び超電導フィルタ３４のＡＭ−ＡＭ特性による振幅歪みの逆特性が入力信号に与えられる。
【００９５】
また、移相器３２２は、Ｄ／Ａ変換器４３を介して移相制御テーブル記憶回路４１から出力された移相制御信号に基づいて、入力信号に対して移相制御を行う。移相器３２２は、移相制御信号に含まれる移相量だけ、入力信号の移相を行う。移相器２４２による移相制御によって、増幅器３３及び超電導フィルタ３４のＡＭ−ＰＭ特性による位相歪みの逆特性が入力信号に与えられる。
ＡＴＴ制御テーブル記憶回路４０及び移相制御テーブル記憶回路４１における各種制御信号の出力方法については、後述する。
【００９６】
歪生成部３２において減衰制御及び移相制御が行われた入力信号は、増幅器３３において増幅され、さらに超電導フィルタ３４において帯域制限がかけられて分配器３５に出力される。増幅器３３及び超電導フィルタ３４から出力される信号には、これらの素子の入出力特性に起因する高調波による歪み、ＡＭ−ＡＭ変換による振幅歪み及びＡＭ−ＰＭ変換による位相歪みとが含まれる。第４の歪補償回路でも、第１〜第３の歪補償回路の場合と同様に、高調波による歪は問題とならないほど小さい
【００９７】
既述したように、入力信号は歪生成部３２において、増幅器３３及び超電導フィルタ３４による、ＡＭ−ＡＭ特性による振幅歪みの逆特性と、ＡＭ−ＰＭ特性による位相歪みの逆特性とが与えられている。
入力信号は、増幅器３３及び超電導フィルタ３４を通過することによって、増幅部３３及び超電導フィルタ３４で発生する歪成分と、入力信号に含まれる振幅歪み及び移相歪みの逆特性とが合成されて、入力信号中の歪が相殺され、ＡＭ−ＡＭ変換による振幅歪みと、ＡＭ−ＰＭ変換による位相歪みが補償される。超電導フィルタ３４によって帯域制限のかけられた入力信号は、出力信号として分配器３５に出力される。
【００９８】
次に、第４の歪補償回路における、制御系の動作について説明する。まず、減衰制御信号及び移相制御信号の出力動作について説明する。
電力検出器３６に分配された入力信号は、電力検出器３６において包絡線検波が行われ、電力値が検出される。電力検出器３６は、検出結果である電力値のアナログデータを、Ａ／Ｄ変換器３７に出力する。
Ａ／Ｄ変換器３７において、電力値はデジタルデータに変換され、歪補償テーブル更新制御回路４４、ＡＴＴ制御テーブル記憶回路４０及び移相制御テーブル記憶回路４１に出力される。
【００９９】
また、増幅器３３及び超電導フィルタ３４の周囲の温度を計測する温度センサ３８は、温度の計測結果をアナログデータの温度データとして、Ａ／Ｄ変換器３９に出力する。Ａ／Ｄ変換器３９は、当該温度データをデジタルデータに変換し、歪補償テーブル更新制御回路４４、ＡＴＴ制御テーブル記憶回路４０及び移相制御テーブル記憶回路４１に出力する。
【０１００】
ＡＴＴ制御テーブル記憶回路４０は、デジタルデータの電力値及び温度データが入力されると、自己に格納されているテーブルから対応する減衰量を読み出し、当該減衰量だけ減衰する旨の減衰制御信号をＤ／Ａ変換器４２に出力する。ＡＴＴ制御テーブル記憶回路４０のテーブルに記憶されている減衰量は、増幅器３３及び超電導フィルタ３４のＡＭ−ＡＭ変換による振幅歪みに相当する。
Ｄ／Ａ変換器４２は、減衰制御信号をアナログ変換して、歪生成部３２の可変減衰器３２１に出力する。
【０１０１】
移相制御テーブル記憶回路４１は、デジタルデータの電力値及び温度データが入力されると、自己に格納されているテーブルから対応する移相量を読み出し、当該移相量だけ移相制御を行う旨の移相制御信号をＤ／Ａ変換器４３に出力する。移相制御テーブル記憶回路４１のテーブルに記憶されている移相量は、増幅器３３及び超電導フィルタ３４のＡＭ−ＰＭ変換による位相歪みに相当する。
Ｄ／Ａ変換器４３は、移相制御信号をアナログ変換して、歪生成部３２の移相器３２２に出力する。
【０１０２】
ＡＴＴ制御テーブル記憶回路４０は、電力値及び温度データ対応する減衰量を読み出し、減衰制御信号として出力することで、入力信号に上記振幅歪みの逆特性を与えることができる。また、移相制御テーブル記憶回路４１は、電力値及び温度データに対応する移相量を読み出し、移相制御信号として出力することで、入力信号に上記位相歪みの逆特性を与えることができる。これにより、第４の歪補償回路は、増幅器３３及び超電導フィルタ３４におけるＡＭ−ＡＭ変換による振幅歪み及びＡＭ−ＰＭ変換による位相歪みを補償することができる。
【０１０３】
次に、減衰量及び移相量の更新動作について説明する。
超電導フィルタ３４から出力された、歪の補償された出力信号は、分配器３５に出力される。分配器３５は、出力信号を歪検出回路４５及び第４の歪補償回路の出力端子に分配して出力する。
歪検出回路４５は、分配器３５から出力された出力信号から、出力信号に含まれる歪成分の電力値を、包絡線検波によって検出し、検出結果をデジタルデータに変換して歪補償テーブル更新制御回路４４に出力する。
【０１０４】
歪補償テーブル更新制御回路４４は、歪検出回路４５から出力された歪成分の電力値と、Ａ／Ｄ変換器３７から出力された入力信号の電力値と、Ａ／Ｄ変換器３９から出力された温度データを参照する。歪成分の電力値が規定値以上であるような場合、歪補償テーブル更新制御回路４４は、当該歪成分の電力値が最小となるよう、ＡＴＴ制御テーブル記憶回路４０のテーブルに記憶されている減衰量と、移相制御テーブル記憶回路４１のテーブルに記憶されている移相量の値を更新することで、テーブルの更新を行う。
【０１０５】
減衰量及び移相量の更新にあたり、歪補償テーブル更新制御部４４では、予め減衰量又は移相量をパラメータとして持ち、且つ評価値が歪み成分の電力値であるような評価関数を記憶しておく。
更新方法として、歪補償テーブル更新制御部４４は、入力信号の電力値及び温度データを参照し、当該電力値に基づいて、ＡＴＴ制御テーブル記憶回路４０のテーブルから対応する減衰量を、移相制御テーブル記憶回路４１のテーブルから対応する移相量を読み出す。そして読み出した減衰量又は移相量をパラメータの初期値として、パラメータの修正及び評価値の評価を繰り返し行って、評価値が最小となるような減衰量及び移相量を求める。
評価値が最小となるようなパラメータの値の算出方法として、歪補償テーブル更新制御部４４は、最急降下法又はＬＭＳ（Ｌｅａｓｔ　Ｍｅａｎ　Ｓｑｕａｒｅ）法等の適応アルゴリズムを用いてもよい。
【０１０６】
最後に歪補償テーブル更新制御部４４は、読み出しを行った減衰量を求められた減衰量に変更する旨の制御信号を、ＡＴＴ制御テーブル記憶回路４０に出力し、テーブルへの書き込みを行わせ、読み出しを行った移相量を求められた移相量に変更する旨の制御信号を、移相制御テーブル記憶回路４１に出力し、テーブルへの書き込みを行わせる。
【０１０７】
テーブルの更新が行われると、ＡＴＴ制御テーブル記憶回路４０及び移相制御テーブル記憶回路４１は以後、更新されたテーブルを用いて、入力信号の電力値及び温度データに基づいて、減衰量及び移相量の決定及び制御信号の出力を行う。
上述したテーブルの更新制御を行うことで、第４の歪補償回路は、増幅部３３又は超電導フィルタ３４の周囲の温度変化や経年劣化等が原因で、増幅器３３又は超電導フィルタ２２の出力特性の変化し、歪が発生した場合でも、減衰量及び移相量を調整して更新することにより、当該出力特性の変化に柔軟に対応して、歪補償を精度よく行うことができる。
【０１０８】
第４の歪補償回路では、増幅器３３及び超電導フィルタ３４の両方におけるＡＭ−ＡＭ変換による振幅歪み及びＡＭ−ＰＭ変換による位相歪みを同時に補償できるような減衰量及び移相量を決定して、入力信号に制御を行うが、例えば超電動フィルタ３４において、ＡＭ−ＡＭ変換又はＡＭ−ＰＭ変換が増幅器３３のそれと異なる特性を有する場合には、減衰量及び移相量が最適なものとならず、歪補償が十分に行われない場合が考えられる。
このような場合においても、上述した歪補償テーブル更新制御部４４における更新方法として、例えば最急降下法のような適応アルゴリズムを用いることによって、評価値の値を比較することで、最適な減衰量及び移相量を得ることができる。
【０１０９】
また、第４の歪補償回路では、温度データを温度センサ８３から直接入手する他に、予め温度と電圧値の関係を示した統計データまたは温度特性等に基づいて、適応アルゴリズムを用いることによって温度変化を予測し、予測結果を温度データとして用いるようにしてもよい。
この場合、温度特性が未定乗数を含む関数で近似できるような場合には、その未定乗数をＬＭＳ法等で算出して、算出された乗数を用いて温度変化を予測するようにすることで、温度変化の予測を迅速化できる。
【０１１０】
第４の歪補償回路は、ＡＴＴ制御テーブル記憶回路４０は、入力信号の電力値及び温度データに基づいて、増幅器３３及び超電導フィルタ３４のＡＭ−ＡＭ変換による振幅歪みを補償するための減衰量を決定して、当該減衰量だけ制御させる旨の制御信号を出力し、移相制御テーブル記憶回路４１は、入力信号の電力値及び温度データに基づいて、増幅器３３及び超電導フィルタ３４のＡＭ−ＰＭ変換による位相歪みを補償する移相量とを決定し、当該移相量だけ制御させる旨の制御信号を出力し、入力信号に対し、歪生成部３２において制御信号に基づいて当該減衰量及び移相量の調整を行った後に、増幅器３３での増幅及び超電導フィルタ３４での帯域制限を行うことで、増幅器３３及び超電導フィルタ３４による振幅歪み及び位相歪みを含む入力信号の歪補償を実現できる。
このような構成としたことで、第４の歪補償回路は、増幅器３４による振幅歪み及び位相歪みに対する歪補償も合わせて行うことができ、送信機の回路構成に則してより精度の高い歪補償を行うことができる。
【０１１１】
また、本発明においては、入力信号が高周波である場合について説明したが、本発明の歪補償回路は、入力信号がＢＢ（ＢａｓｅＢａｎｄ）やＩＦ（Ｉｎｔｅｒｍｅｄｉａｔｅ　Ｆｒｅｑｕｅｎｃｙ：中間周波数）である場合にも適用してよい。
【０１１２】
上述したように、本発明の実施の形態に係る歪補償回路によれば、超伝導フィルタで発生すると予測される相互変調歪の逆特性である歪信号を出力し、超電導フィルタの前段において入力信号と合成するか、又は超伝導フィルタの後段において帯域制限のかけられた入力信号と合成することで、超伝導フィルタで発生する相互変調歪を効率よく補償できる効果がある。
また、歪補償後の出力信号に含まれる歪成分の電力値に基づいて、当該歪信号を最小にするように歪信号の調整を行って歪信号を出力することで、通信環境の変化にも容易に対応して歪補償を行うことができる効果がある。
【０１１３】
また、増幅器及び超伝導フィルタで発生すると予測されるＡＭ−ＡＭ変換による振幅歪みの逆特性及びＡＭ−ＰＭ変換による位相歪みの逆特性を入力信号に与え、当該入力信号を増幅器によって増幅し、且つ超伝導フィルタによって帯域制限をかけることによって、増幅器及び超伝導フィルタで発生する振幅歪み及び位相歪を同時に効率よく補償できる効果がある。
【０１１４】
【発明の効果】
本発明によれば、通信システムの送信機で用いる歪補償回路において、送信対象の入力信号のうち、特定の周波数帯域内の信号を出力する超電導フィルタと、超電導フィルタにおいて入力信号に対して発生する相互変調歪の逆特性を歪信号として出力する歪信号生成部と、超電導フィルタの前段又は後段に接続され、超電導フィルタに入力される信号又は超電導フィルタから出力される信号と歪信号とを合成し、合成結果を出力信号として出力する合成部と、出力信号に含まれる歪成分の電力値に基づいて、歪成分を低減させるように歪信号生成部に対して歪信号の減衰制御及び移相制御を行う歪信号制御部とを有する歪補償回路としているので、超電導フィルタで発生する相互変調歪を効率よく補償できる効果がある。
【０１１５】
また、本発明によれば、通信システムの送信機で用いる歪補償回路において、送信対象の入力信号の出力を増幅する電力増幅器と、電力増幅器から出力された信号のうち、特定の周波数帯域内の信号を出力信号として出力する超電導フィルタと、増幅器に入力される信号に対して減衰制御及び移相制御を行い、増幅器及び超電導フィルタにおいて入力信号に対して発生する歪の逆特性を含ませる減衰／移相制御部と、入力信号の電力値及び増幅器及び超電導フィルタ周辺の温度に基づいて、減衰制御における減衰量及び移相制御における移相量を決定して減衰／移相制御部に出力し、出力信号に含まれる歪成分の電力値に基づいて、歪成分を低減させるように減衰量及び移相量を更新する歪制御部とを有する歪補償回路としているので、増幅器及び超電導フィルタで発生する歪を同時に効率よく補償できる効果がある。
【図面の簡単な説明】
【図１】本発明の第１の実施の形態に係る歪補償回路の構成ブロック図である。
【図２】本発明の第２の実施の形態に係る歪補償回路の構成ブロック図である。
【図３】本発明の第３の実施の形態に係る歪補償回路の構成ブロック図である。
【図４】本発明の第３の実施の形態に係る歪補償回路における、歪信号生成部２４の構成ブロック図である。
【図５】本発明の第３の実施の形態に係る歪補償回路における、制御部２５の構成ブロック図である。
【図６】
本発明の第３の実施の形態に係る歪補償回路における、歪検出回路２８の構成
ブロック図である。
【図７】
本発明の第４の実施の形態に係る歪補償回路の構成ブロック図である。
【図８】
超電導フィルタの出力特性を示した説明図である。
【図９】
非線形特性を有する増幅器の入出力特性の説明図である。
【符号の説明】
１１，２１，３１…遅延部、　１２，２２，３４…超電導フィルタ、　１３，２３…加算部、　１４，２４…歪信号生成部、　１５，２５…制御部、　２６，２７，３５…分配器、　２８…歪検出回路、　２９，３６…電力検出器、　３２…歪生成部、　３３…増幅器、　３７，３９…Ａ／Ｄ変換器、　３８…温度センサ、　４０…ＡＴＴ制御テーブル記憶回路、　４１…移相制御テーブル記憶回路、　４２，４３…Ｄ／Ａ変換器、　４４…歪補償テーブル更新制御回路、　４５…歪検出回路
【図１】
2004032584.tif 000003
【図２】
2004032584.tif 000004
【図３】
2004032584.tif 000005
【図４】
2004032584.tif 000006
【図５】
2004032584.tif 000007
【図６】
2004032584.tif 000008
【図７】
2004032584.tif 000009
【図８】
2004032584.tif 000010
【図９】
2004032584.tif 000011